(57)【要約】【課題】搬送部の先端での不純物の析出付着を抑制して搬送部の微少空隙の目詰まりを回避し、搬送部の長寿命化を図って使い勝手を向上させた静電霧化装置を提供する。【解決手段】水を溜める貯水部２と、貯水部２の水を貯水部２の外部の先端側に搬送する搬送部３と、搬送部３に内在した水に電圧を印加する印加電極５と、印加電極５に高電圧を印加する電圧印加部６とを有し、貯水部２に貯留された水が搬送部３の毛細管現象によって搬送部３の先端側に搬送され、この水が当該搬送部３の先端で霧化されるようにしたものである。熱電変換素子２９からなる結露水生成用の熱交換器８ｃと、前記熱交換器８ｃの下方に配設され当該熱交換器８ｃで生じた結露水を受ける結露水受け部１２ａと、当該結露水受け部１２ａと前記貯水部２とを連結し、結露水受け部１２ａで集水した結露水を貯水部２に流す流水管１２ｂとを備える。【選択図】図１
2010008039.tif 000002
【特許請求の範囲】
【請求項１】
水を溜める貯水部と、貯水部の水を貯水部の外部の先端側に搬送する搬送部と、搬送部に内在した水に電圧を印加する印加電極と、印加電極に高電圧を印加する電圧印加部とを有し、貯水部に貯留された水が搬送部の毛細管現象によって搬送部の先端側に搬送され、この水が当該搬送部の先端で霧化されるようにした静電霧化装置であって、熱電変換素子からなる結露水生成用の熱交換器と、前記熱交換器の下方に配設され当該熱交換器で生じた結露水を受ける結露水受け部と、当該結露水受け部と前記貯水部とを連結し、結露水受け部で集水した結露水を貯水部に流す流水管とを備えたことを特徴とする静電霧化装置。
【請求項２】
前記電圧印加部は、搬送部の先端に吸い上げられた水がレイリー分裂を起こしてナノメーターサイズの粒子径のミストが生じる高電圧を印加するものであることを特徴とする請求項１に記載の静電霧化装置。
【請求項３】
前記電圧印加部は、電界強度５００Ｖ／ｍｍ以上となる電界が生じる高電圧を印加電極に印加するものであることを特徴とする請求項２に記載の静電霧化装置。
【請求項４】
前記搬送部は１〜２５０μｍの毛細管が形成されたものであることを特徴とする請求項１乃至３のいずれか１項に記載の静電霧化装置。
【請求項５】
前記搬送部を多孔質のセラミック材料で構成したことを特徴とする請求項１乃至４のいずれか１項に記載の静電霧化装置。
【請求項６】
接地電極を備え、前記搬送部の先端で霧化したミストが当該搬送部から接地電極に向けて放出されるようにしたことを特徴とする請求項１乃至５のいずれか１項に記載の静電霧化装置。
【発明の詳細な説明】
【技術分野】
【０００１】
本発明は、静電霧化装置に関するものである。
【背景技術】
【０００２】
従来から、空気中の脱臭などを行わせる装置として、静電霧化の技術を利用する静電霧化装置が知られている。この静電霧化装置は、水を溜める貯水部と、貯水部の水を貯水部の外部に位置する先端側に搬送する搬送部と、搬送部の先端側に配置した対向電極と、搬送部に内在した水に電圧を印加する印加電極と、対向電極と印加電極との間に高電圧を発生させる電圧印加部とを備えて構成されたもので、電圧印加部によって高電圧を印加させたときに帯電してイオン化した水が搬送部の先端から電極に向けてミスト状に霧化されるといった装置である。そして、この静電霧化装置は室内空気を循環させる空調機器などに内装し、静電霧化装置で霧化されたミストを空調機器内の空気経路に放出させ、空調機器の空気の吹出口から広い室内空間に向けて放出させることがしばしば行われている。ここで、静電霧化装置の搬送部としては、たとえば特許文献１のように多孔質のセラミック材料が用いられることが多い。つまり、セラミック材料内の微少空隙による毛細管現象を利用して貯水部の水を搬送部の先端側に吸い上げることで搬送可能にしているのである。
【０００３】
ところで、静電霧化装置で貯水部に溜めて霧化させる水にＣａ、Ｍｇ等のミネラル成分の入ったものを用いると、搬送部の先端で空気中のＣＯ２と反応してＣａＣＯ３、ＭｇＯ等として析出付着し、搬送部を構成するセラミック材料中の微細孔を塞いで静電霧化の発生を妨げてしまうのである。つまり、静電霧化装置で貯水部に溜めて霧化させる水に水道水を用いると、水道水中の金属イオンなどの不純物が搬送部の先端に析出付着して霧化能力が低下してしまうために、搬送部の交換などの頻繁なメンテナンスが必要となり、使い勝手が低下してしまうといった問題があった。
【先行技術文献】
【特許文献】
【０００４】
【特許文献１】特許第３２６０１５０号公報
【発明の概要】
【発明が解決しようとする課題】
【０００５】
本発明は上記の従来の問題点に鑑みて発明したものであって、搬送部の先端での不純物の析出付着を抑制して搬送部の微少空隙の目詰まりを回避し、搬送部の長寿命化を図って使い勝手を向上させた静電霧化装置を提供することを課題とするものである。
【課題を解決するための手段】
【０００６】
上記課題を解決するために本発明の請求項１に係る静電霧化装置にあっては、水を溜める貯水部２と、貯水部２の水を貯水部２の外部の先端側に搬送する搬送部３と、搬送部３に内在した水に電圧を印加する印加電極５と、印加電極５に高電圧を印加する電圧印加部６とを有し、貯水部２に貯留された水が搬送部３の毛細管現象によって搬送部３の先端側に搬送され、この水が当該搬送部３の先端で霧化されるようにした静電霧化装置１であって、熱電変換素子２９からなる結露水生成用の熱交換器８ｃと、前記熱交換器８ｃの下方に配設され当該熱交換器８ｃで生じた結露水を受ける結露水受け部１２ａと、当該結露水受け部１２ａと前記貯水部２とを連結し、結露水受け部１２ａで集水した結露水を貯水部２に流す流水管１２ｂとを備えたことを特徴とする。これによると、熱交換器８ｃでは空気を冷却した際には結露水が生じるのであり、この結露水は空気中の水分が凝結したものであるから水道水よりも不純物の少ないものであり、この結露水を結露水受け部１２ａと流水管１２ｂにて静電霧化装置１の貯水部２に給水させたことで搬送部３の先端で不純物の析出無く霧化させることができるのであり、つまり搬送部３が多孔質のセラミック材料で構成されてもセラミック材料の微小空隙が不純物の析出によって目詰まりすることを無くすることができ、したがって霧化能力の低下を回避して搬送部３を長寿命化でき、静電霧化装置１の使い勝手の向上を図ることができる。
【０００７】
また、請求項２に係る静電霧化装置にあっては、請求項１において、前記電圧印加部６は、前記搬送部３の先端に吸い上げられた水がレイリー分裂を起こしてナノメーターサイズの粒子径のミストが生じる高電圧を印加するものであることを特徴とする。
【０００８】
また、請求項３に係る静電霧化装置にあっては、請求項２において、前記電圧印加部６は、電界強度５００Ｖ／ｍｍ以上となる電界が生じる高電圧を印加電極５に印加するものであることを特徴とする。
【０００９】
また、請求項４に係る静電霧化装置にあっては、請求項１乃至３のいずれか１項において、前記搬送部３は１〜２５０μｍの毛細管１５が形成されたものであることを特徴とする。
【００１０】
また、請求項５に係る静電霧化装置にあっては、請求項１乃至４のいずれか１項において、前記搬送部３を多孔質のセラミック材料で構成したことを特徴とする。
【００１１】
また、請求項６に係る静電霧化装置にあっては、請求項１乃至５のいずれか１項において、接地電極を備え、前記搬送部３の先端で霧化したミストが当該搬送部３から接地電極に向けて放出されるようにしたことを特徴とする。
【発明の効果】
【００１２】
本発明は、熱交換器で生じた結露水を水道水の代わりに静電霧化装置の霧化に利用したことで、静電霧化装置の搬送部の先端での不純物の析出を無くすることができ、霧化能力の低下を回避して搬送部の長寿命化、ひいては静電霧化装置の使い勝手の向上を図ることができる。
【図面の簡単な説明】
【００１３】
【図１】本発明の実施の形態の例の静電霧化装置の分解斜視図である。
【図２】同上の搬送部の拡大断面図である。
【図３】同上の静電霧化装置を備えた空調機器の概略ブロック図である。
【図４】同上の空調機器の室内機の一部切欠斜視図である。
【図５】本発明の実施の形態の他例の空調機器の一部切欠斜視図である。
【図６】本発明の実施の形態の更に他例の空調機器の一部切欠斜視図である。
【図７】本発明の実施の形態の更に他例の空調機器の一部切欠斜視図である。
【図８】本発明の実施の形態の更に他例の空調機器の一部切欠斜視図である。
【図９】同上の結露水生成用の熱交換器付近の側面図である。
【図１０】本発明の実施の形態の更に他例の静電霧化装置の要部の斜視図である。
【発明を実施するための形態】
【００１４】
以下、本発明を添付図面に示す実施形態に基いて説明する。
【００１５】
図１〜図４に本発明の実施形態の例を示す。図１に示すように本例の静電霧化装置１は、水を溜める貯水部２と、貯水部２の水を貯水部２の外部の先端側に搬送する搬送部３と、搬送部３の先端側で搬送部３の水の搬送方向に対向するように配置した対向電極４と、搬送部３に内在した水に電圧を印加する印加電極５と、対向電極４と印加電極５との間に高電圧を発生させる電圧印加部６とを有して構成された装置であって、後述の空調機器７に内装させる空調機器内装用であり、その特徴としては、空調機器７に備えた熱交換器８で生じた結露水を給水する給水手段９を貯水部２に設けたことにある。以下、詳述する。
【００１６】
詳しくは、貯水部２は内部に水を貯留できるように上方開口を有する容器状に形成され、この貯水部２の上方開口を上方から塞ぐように蓋状の印加電極５が被着されている。この印加電極５は、カーボンのような導電材を混入した合成樹脂やＳＵＳ材のような金属で形成した導電性を有する部材から構成され、その外周には電圧印加部６に接続される突起部５ａが形成され、印加電極５の外周からやや内側にずれた円軌位置に搬送部３を構成する棒状吸水体３ａを複数本、等間隔に保持している。ここで、印加電極５に接続される電圧印加部６としては電界強度が５００Ｖ／ｍｍ以上与えられるものを用いるのが好ましい。また、上記棒状吸水体３ａは多孔質のセラミック材料や多孔質金属合金などで形成された鉛直方向に伸びた棒であり、その上端は針状に尖るように形成されて印加電極５の上方位置に配置され、その下端は貯水部２に内部位置に配置されて貯留した水に接触可能にされている。なお、棒状吸水体３ａを構成する多孔質のセラミック材料としては図２のようにセラミック粒子の粒径１４が２〜５００μｍ、微小空隙である毛細管１５が１〜２５０μｍに形成されたものを用いるのが好ましい。また、本例の静電霧化装置１では円周の６０°毎に配置した６本の棒状吸水体３ａが用いられている。印加電極５及び搬送部３の上方には周面に通風孔１６が開口した略円筒状のホルダー１７が配置されている。このホルダー１７の上方開口には複数のリブ１８が一体に掛け渡され、このリブ１８の上面に対向電極４が載設される。この対向電極４は、印加電極５同様に導電性を有する部材から構成され、その外周には接地用接触板（図示せず）に接続される突起部４ａが形成されている。つまり対向電極４は接地用接触板を介して接地されている。更に言うと、対向電極４はリング帯板状に形成され、詳しくは、中央に開口部４ｂを有すると共に、この開口部４ｂの縁は上方から見た状態で、上記複数本の棒状吸水体３ａの上端の針状部を中心とする複数の同一径の円弧Ｒを他の円弧ｒで滑らかに繋いだような形状に施されている。つまり、棒状吸水体３ａの上端は対向電極４の円弧Ｒに対向して臨むように位置されるのである。
【００１７】
上記のように構成された静電霧化装置１は、貯水部２に貯留された水が搬送部３の毛細管現象によって搬送部３の先端側に搬送されるのであり、このとき、対向電極４を接地させると共に印加電極５を電圧印加部６に接続させ、たとえば印加電極５にマイマスの電圧を印加すると、水を含有した棒状吸水体３ａの先端が印加電極５側の実質的な電極として機能すると共に棒状吸水体３ａの先端に臨む対向電極４の円弧Ｒが実質的な電極として機能し、つまり搬送部３を構成する棒状吸水体３ａの針状の先端と対向電極４の円弧Ｒとの間に高電圧が印加される。そして、この高電圧によって、棒状吸水体３ａの針状の先端に貯水部２から吸い上げられた水がレイリー分裂を引き起こし、ナノメータサイズの粒子径のミストとなる霧化が為されることとなる。そして、このように静電霧化されたミスト粒子は帯電状態で棒状吸水体３ａの針状の先端から上方に向けて放出されるのである。この霧化されたミストには活性種が内在することとなり、臭い成分に吸着して脱臭を施すといった利点がある。
【００１８】
ところで、本例の静電霧化装置１は上述のように空調機器内装用であり、たとえば図３，４のような空調機器７に内装される。ここで、本例の空調機器７は室内に冷暖房を施し得るように正逆切替運転が可能なヒートポンプ式の冷凍サイクルを用いた従来一般に使用される家庭用冷暖房機器である。詳しくは、この空調機器７は、図３のように、各々に熱交換器８ａ，８ｂを備えた室内機７ａと室外機７ｂ（図５参照）とを有し、冷媒が循環する冷媒経路１９に圧縮機２０、切替弁２１、室内機７ａの熱交換器８ａ、膨張弁２２、室外機７ｂの熱交換器８ｂが接続されて構成されており、たとえば四方弁で構成される切替弁２１は空調機器７の冷房運転と暖房運転との切替にあたり冷媒経路１９中の室内機７ａの熱交換器８ａと室外機７ｂの熱交換器８ｂとの順番を入れかえる機能を有している。つまり、冷房運転では、圧縮機２０にて圧縮された冷媒は切替弁２１を介して室外機７ｂの熱交換器８ｂに送られて室外機７ｂの熱交換器８ｂ内で凝縮されて外気に放熱し、室外機７ｂの熱交換器８ｂを出た冷媒は膨張弁２２で減圧された後に室内機７ａの熱交換器８ａに送られて室内機７ａの熱交換器８ａ内で気化されて室内空気の熱を吸熱し、室内機７ａの熱交換器８ａを出た冷媒は再び圧縮機２０に送られるように作動するのであり、一方、暖房運転では、圧縮機２０にて圧縮された冷媒は切替弁２１を介して室内機７ａの熱交換器８ａに送られて室内機７ａの熱交換器８ａ内で凝縮されて室内空気に放熱し、室内機７ａの熱交換器８ａを出た冷媒は膨張弁２２で減圧された後に室外機７ｂの熱交換器８ｂに送られて室外機７ｂの熱交換器８ｂ内で気化されて外気の熱を吸熱し、室外機７ｂの熱交換器８ｂを出た冷媒は再び圧縮機２０に送られるように作動するのである。なお、図４のように室内機７ａは、上方に開口して室内空気を取り込む吸入口２３と、前方に開口せる吹出口２４と、吹出口２４と吸入口２３とを連通する空気経路２５とを有し、室内空気と熱交換を行わせる上記室内機７ａの熱交換器８ａや空気経路２５に吸入口２３から吹出口２４に至る空気流れをつくる送風ファン２６が空気経路２５内に配設されている。そして、この室内機７ａには、空気経路２５に霧化されたミストを放出すべく静電霧化装置１が内装されているのである。これによると、霧化されて帯電状態にあるミストを空調機器７の吹出口２４からの送風に乗せて室内の広い範囲に散布することができるのであり、この霧化されて帯電状態にあるミストは壁面などにも付着し易く、空気中の臭い成分は勿論、壁面に強固に付着している臭い成分に対する脱臭作用をも有効に施し得ることが可能にされている。
【００１９】
ここで、本例の静電霧化装置１にあっては、上述したように空調機器７に備えた熱交換器８で生じた結露水を給水する給水手段９を貯水部２に設けたことに特徴を有している。本例では、この給水手段９として、室内機７ａの熱交換器８ａで生じた結露水を給水する第１の給水手段１０が用いられている。この第１の給水手段１０は、室内機７ａの熱交換器８ａの下方位置に配設した室内用結露水受け部１０ａと、室内用結露水受け部１０ａと貯水部２とを連結する室内用流水管１０ｂとで構成される。室内用結露水受け部１０ａによると室内機７ａの熱交換器８ａで生じた結露水を受けることができ、室内用流水管１０ｂによると室内用結露水受け部１０ａで集水した結露水を貯水部２に流すことができるようにされている。
【００２０】
上記静電霧化装置１を備えた空調機器７では、冷房運転時には室内機７ａの熱交換器８ａの表面で室内空気が冷やされて結露が生じるのであってこの結露水は第１の給水手段１０を介して貯水部２に給水されるのである。このように、空調機器７の熱交換器８で生じた結露水を静電霧化装置１の貯水部２に供給し、この結露水を静電霧化装置１にて霧化させるようにしてあるが、これによると、結露水は空気中の水分が凝結したものであって水道水よりも不純物の少ないものであることから、従来問題とされた搬送部３の先端での不純物の析出を略無くすることができるのである。したがって、多孔質のセラミック材料で構成された搬送部３であっても、上記セラミック材料の微小空隙が不純物の析出によって目詰まりすることが無くなり、霧化能力の低下を回避して搬送部３の長寿命化が図られているのであって、メンテナンスの頻度を低減できて静電霧化装置１の使い勝手の向上が図られているのである。
【００２１】
また、貯水部２には貯水部２に貯留した水が基準水量以上に溜まらないように排水する排水経路２８が設けられている。本例ではこの排水経路２８は室内外を隔てる界壁２７（図５参照）を貫いて室外に至るように配設されている。これによると、大量の結露水が貯水部２に供給された場合にも、この排水経路２８によって、余剰の結露水を貯水部２から排水させることができ、貯水部２から結露水が溢れ出てしまうことも回避されている。なお、本例では、冷暖房可能な空調機器について説明したが、たとえば冷房専用の空調機器７であってもよく、これによると空調機器７の運転時に常時第１の給水手段１０にて結露水を貯水部２に給水することができるのである。
【００２２】
以下、本発明の実施の形態の諸例を説明する。これら例で、先の実施の形態の例と同様部分には同符合を付して説明を省き、異なる部位につき説明する。
【００２３】
図５には本発明の実施の形態の他例を示す。この例では、給水手段９として、室外機７ｂの熱交換器８ｂで生じた結露水を給水する第２の給水手段１１が用いられている。この第２の給水手段１１は、室外機７ｂの熱交換器８ｂの下方位置に配設した室外用結露水受け部１１ａと、室外用結露水受け部１１ａと貯水部２とを連結する室外用流水管１１ｂとで構成される。冷暖房可能な空調機器７における暖房運転時には、室外機７ｂの熱交換器８ｂの表面で外気が冷やされて結露が生じるのであるが、この室外用結露水受け部１１ａによると室外機７ｂの熱交換器８ｂで生じた結露水を受けることができ、室外用流水管１１ｂによると室外用結露水受け部１１ａで集水した結露水を貯水部２に流すことができるようにされている。図示はしないが、室外用流水管１１ｂは冷媒経路１９を構成する冷媒管と共に界壁２７を貫いて配設されている。このように、静電霧化装置１の貯水部２に第２の給水手段１１を設けたことで、空調機器７の暖房運転時に外気を冷却する室外機７ｂの熱交換器８ｂに生じた結露水を静電霧化装置１の貯水部２に給水できるのである。
【００２４】
図６には本発明の実施の形態の更に他例を示す。この例では、冷暖房可能な空調機器７に上記各例の第１の給水手段１０及び第２の給水手段１１を備えたものである。これによると、空調機器７の冷房運転時及び暖房運転時のいずれの場合にも、貯水部２に各熱交換器８からの結露水を供給できるのである。なお、図示はしないが、結露水の貯水部２への効率よい流入を期して、室内用流水管１０ｂや室外用流水管１１ｂにポンプを配設してもよく、また更なる効率を期して、室内用流水管１０ｂのポンプは空調機器７の冷房運転時に稼動させ、室外用流水管１１ｂのポンプは空調機器７の暖房運転時に稼動させるといったように、空調機器７の運転状況に各ポンプを適宜連動させる制御運転を行わせてもよい。
【００２５】
図７には本発明の実施の形態の更に他例を示す。この例では、静電霧化装置１の貯水部２に使用者が給水することを可能にする給水口１３を設けてある。これによると、使用者が外部から給水口１３を通して貯水部２に適宜給水させることができ、貯水部２の貯水不足を回避できるといった利点がある。
【００２６】
また、貯水部２の貯水不足を有効に回避できる例として、図８，９に本発明の実施の形態の更に他例を示す。この例では、静電霧化装置１を備えた空調機器７に結露水生成用の熱交換器８ｃを別個に設け、この結露水生成用の熱交換器８ｃで生じた結露水を給水する第３の給水手段１２を給水手段９として静電霧化装置１の貯水部２に設けた例である。詳しくは、この空調機器７は冷暖房可能な空調機器であって、静電霧化装置１の貯水部２には第１の給水手段１０が設けられて冷房運転時には結露水が貯水部２に給水可能にされているが、構成の簡単化が図られて貯水部２には第２の給水手段１１は設けられていない。したがって冷房運転以外の運転時（たとえば暖房運転時）には貯水部２が貯水不足に陥り易くなっており、この貯水部２の貯水不足に有効に対処すべく、上記のように室内機７ａには結露水生成用の熱交換器８ｃが設けられ、室内機７ａに内装した静電霧化装置１の貯水部２には第３の給水手段１２が設けられている。
【００２７】
ここで、結露水生成用の熱交換器８ｃは、たとえば図９のように、ペルチェ素子などで構成した板状の熱電変換素子２９に電源部３０を接続し、電源部３０から熱電変換素子２９に電流を流した際に熱電変換素子２９に生じる吸熱面を下方に向けると共に放熱面を上方に向けるように熱電変換素子２９を配置し、熱電変換素子２９の吸熱面から吸熱フィン３１を下方に突設し、熱電変換素子２９の放熱面から放熱フィン３２を上方に突設し、放熱フィン３２を空冷する空冷ファン３３を設けると共にこの空冷ファン３３に上記電源部３０を接続して構成したものが挙げられる。この結露水生成用の熱交換器８ｃでは、電源部３０にて熱電変換素子２９に電流を流すと共に空冷ファン３３を駆動させることで、吸熱フィン３１で空気から吸熱させ、空冷ファン３３の空冷作用を受けて放熱フィン３２で効率よく空気に放熱させるといった熱サイクルを形成することができるのであり、このとき空気から熱を奪う（つまり空気を冷却する）吸熱フィン３１では結露が生じるようになっている。また、第３の給水手段１２は、結露水生成用の熱交換器８ｃの下方位置に配設した結露水生成用結露水受け部１２ａと、この結露水生成用結露水受け部１２ａと貯水部２とを連結する結露水生成用流水管１２ｂとで構成される。つまり、この結露水生成用結露水受け部１２ａによると結露水生成用の熱交換器８ｃにおける吸熱フィン３１で生じた結露水を受けることができ、結露水生成用流水管１２ｂによると結露水生成用結露水受け部１２ａで集水した結露水を貯水部２に流すことができるようにされている。
【００２８】
これによると、空調機器７の運転状態にかかわらず、結露水生成用の熱交換器８ｃを作動させることで、第３の給水手段１２を介して貯水部２に結露水を安定供給させることができ、貯水部２の貯水不足を解消することができる。このように結露水生成用の熱交換器８ｃから結露水を貯水部２に安定供給できることから、貯水部２では貯水不足を無くすることができて煩雑な使用者による補給作業を回避できると共に、使用者が水道水を貯水部２に補給してしまうことも無くすることができて静電霧化装置１で用いる水を完全に結露水だけで賄うようにでき、結果、静電霧化装置１の長寿命化の促進を図ることができるのである。ここで、本例では給水手段９として第２の給水手段１１を備えない場合の例を示したが、無論、給水手段９として第２の給水手段１１を備えたものに第３の給水手段１２を更に付設してもよく、これによると、冬季の乾燥外気からは結露水を得にくいことから結露水が不足しがちな貯水部２に第３の給水手段１２にて結露水を適宜補給することができるのである。
【００２９】
なお、上記の例のように結露水生成用の熱交換器８ｃを室内機７ａに設けた場合には、結露水生成用の熱交換器８ｃを第１の給水手段１０の室内用結露水受け部１０ａの上方位置に配置することも好ましい。これによると、第３の給水手段１２の構成部材を第１の給水手段１０の構成部材で兼用でき、構成の簡単化を図ることができるのである。無論、結露水生成用の熱交換器８ｃを室外機７ｂに設けた場合にも、結露水生成用の熱交換器８ｃを第２の給水手段１１の室外用結露水受け部１１ａの上方位置に配置させ、第３の給水手段１２の構成部材を第２の給水手段１１の構成部材で兼用させることで、構成の簡単化を図ることもできる。
【００３０】
また、上記各例において用いた静電霧化装置１に図１０のように空気をイオン化させるイオン化針３４を備えても好ましい。詳しくは、イオン化針３４は印加電極５の上面中央に上方に向けて一体に突設されている。これによると、電圧印加部６にて印加電極５に高電圧を印加させたとき、イオン化針３４の先端でコロナ放電が生じ、周囲空気をイオン化できるようにされている。たとえば先例のように電圧印加部６にて印加電極５にマイナスの高電圧を印加すればイオン化針３４の先端でマイナスイオンが生成されるのである。このように、静電霧化装置１の印加電極５にイオン化針３４を突設させることで、静電霧化装置１に水の霧化機能に加えて空気のイオン発生機能を付加することができるのである。つまり、静電霧化装置１にイオン化針３４を備えれば、空調機器７に静電霧化装置１の他にイオン発生装置を別個に設けるといった空調機器７の構造の複雑化を回避しつつ、静電霧化装置１を備えた空調機器７にイオン発生機能を容易に付加することができるのである。
【符号の説明】
【００３１】
１  静電霧化装置
２  貯水部
３  搬送部
３ａ  棒状吸水体
４  対向電極
５  印加電極
６  電圧印加部
７  空調機器
７ａ  室内機
７ｂ  室外機
８  熱交換器
８ａ  室内機の熱交換器
８ｂ  室外機の熱交換器
８ｃ  結露水生成用の熱交換器
９  給水手段
１０  第１の給水手段
１１  第２の給水手段
１２  第３の給水手段
１３  給水口
【図１】
2010008039.tif 000003
【図３】
2010008039.tif 000004
【図４】
2010008039.tif 000005
【図５】
2010008039.tif 000006
【図６】
2010008039.tif 000007
【図７】
2010008039.tif 000008
【図８】
2010008039.tif 000009
【図９】
2010008039.tif 000010
【図１０】
2010008039.tif 000011
【図２】
2010008039.tif 000012